(57)【要約】【課題】複数の周波数帯に対応可能なアンテナ装置において、各周波数帯域におけるインピーダンスを整合させる。【解決手段】ＧＰＳ放射電極１０８は、ＧＰＳ周波数にて電波を放射する。ＢＴ放射電極１１０は、ＧＰＳ周波数よりも大きいブルートゥース（登録商標）周波数にて電波を放射する。給電電極１１４は給電点１２４から供給される電力をこれらの放射電極に供給する。給電電極１１４とグランドパターン１０６の間には整合回路１２６が挿入される。ＧＰＳ放射電極１０８の一端は、給電電極１１４と第１の接続点において接続され、ＢＴ放射電極１１０の一端は、給電電極１１４と第２の接続点において接続される。給電電極１１４と整合回路１２６の接続点は、この第１および第２の接続点の間に位置する。【選択図】図２
2012023640.tif 000002
【特許請求の範囲】
【請求項１】
第１の周波数にて電波を放射する第１の放射電極と、
前記第１の周波数よりも大きい第２の周波数にて電波を放射する第２の放射電極と、
給電ラインから供給される電力を前記第１および第２の放射電極に給電する給電電極と、
前記給電電極とグランドパターンを接続する整合回路と、を備え、
前記第１の放射電極の一端は、前記給電電極と第１の接続点において接続され、
前記第２の放射電極の一端は、前記給電電極と第２の接続点において接続され、
前記給電電極と前記整合回路の接続点は、前記第１および第２の接続点の間に位置することを特徴とするアンテナ装置。
【請求項２】
前記整合回路の接続点の前記第１および前記第２の接続点それぞれからの距離により、前記第１および前記第２の放射電極のインピーダンスが調整されることを特徴とする請求項１に記載のアンテナ装置。
【請求項３】
前記第１および第２の放射電極はプリント基板の端部領域に形成され、かつ、前記第１の放射電極は前記第２の放射電極よりも前記プリント基板の端部により近い側に形成されることを特徴とする請求項１または２に記載のアンテナ装置。
【請求項４】
前記給電電極は、プリント基板上に形成され、
前記第１および第２の放射電極は、前記プリント基板を覆う筐体の内壁に形成され、
前記第１および第２の放射電極は、第１および第２の給電ピンを介して前記給電電極と接続されることを特徴とする請求項１から３のいずれかに記載のアンテナ装置。
【請求項５】
前記第１の放射電極の他端は、容量結合素子を介して前記グランドパターンと接続され、
前記第２の放射電極の他端は、開放端となることを特徴とする請求項４に記載のアンテナ装置。
【請求項６】
前記第１および第２の放射電極は、略直方体状の誘電体の上面に形成され、
前記誘電体はプリント基板の端部に形成される実装領域に取り付けられ、
前記整合回路は、前記実装領域の周縁に設けられる前記グランドパターンと前記給電電極とを接続することを特徴とする請求項１から３のいずれかに記載のアンテナ装置。
【請求項７】
前記第１の放射電極の他端は、前記誘電体の側面に形成されたギャップを介して前記グランドパターンと容量結合し、
前記第２の放射電極の他端は、開放端となることを特徴とする請求項６に記載のアンテナ装置。
【発明の詳細な説明】
【技術分野】
【０００１】
本発明は、アンテナ装置に関し、特に、そのインピーダンスの整合に関する。
【背景技術】
【０００２】
携帯端末の多くは、ＧＰＳ（Global Positioning System）やブルートゥース（登録商標）などの複数の周波数帯に対応するようになってきている。携帯端末の小型化の要請に応えつつ、複数の周波数帯に対応するためには、単一のアンテナ素子で複数の周波数帯の電波を発生させることが望ましい。しかし、このようなデュアルバンド型の携帯端末においては、シングルバンド型に比べてインピーダンスを整合させるのが難しいという課題がある。
【先行技術文献】
【特許文献】
【０００３】
【特許文献１】特開２００６−２２９４４５号公報
【特許文献２】特開２００２−１８５２３８号公報
【発明の概要】
【発明が解決しようとする課題】
【０００４】
このような課題に対処するため、特許文献１では、低周波数帯域側についてはアンテナとグランドパターンの位置関係を調整することによりインピーダンスの整合を図っている。そして、この整合状態を維持しつつ、高周波数帯域側のインピーダンスを整合回路により調整している。しかし、特許文献１の場合には、グランドパターンの変更が必要となるため、インピーダンスの微調整が難しい。また、分波器やアンテナスイッチを必要とするため回路規模が大きくなりやすい。
【０００５】
特許文献２では、２つのアンテナエレメントを離間方向に延ばしている。これは、２つのアンテナエレメントの相互影響を抑制することにより、それぞれのアンテナエレメントのインピーダンスを独立に調整しやすくするためである。しかし、特許文献２の場合には、低周波数帯側のアンテナエレメント（放射導体）が長くなりすぎるため、小型化しにくくなる。また、このような配置上の工夫だけで、相互影響を十分に抑制するのは困難である。
【０００６】
本発明は、上記課題に鑑みて完成された発明であり、その主たる目的は、複数の周波数帯に対応可能なアンテナ装置において、各周波数帯域においてインピーダンスを整合させることにある。
【課題を解決するための手段】
【０００７】
本発明に係るアンテナ装置は、第１の周波数にて電波を放射する第１の放射電極と、それよりも大きい第２の周波数にて電波を放射する第２の放射電極と、給電ラインから供給される電力を第１および第２の放射電極に給電する給電電極と、給電電極とグランドパターンを接続する整合回路を備える。第１の放射電極の一端は給電電極と第１の接続点において接続され、第２の放射電極の一端は給電電極と第２の接続点において接続される。給電電極と整合回路の接続点は、第１および第２の接続点の間に位置する。
【０００８】
このような構成においては、整合回路の接続点の位置を変更すると、第１の放射電極のインダクタンスと第２の放射電極のインダクタンスが逆方向に変化するため、それぞれのインピーダンスを調整しやすくなる。整合回路の接続点の第１および第２の接続点それぞれからの距離により、第１および第２の放射電極のインピーダンスを調整すればよい。
【０００９】
第１および第２の放射電極はプリント基板の端部領域に形成され、かつ、第１の放射電極は第２の放射電極よりもプリント基板の端部により近い側に形成されてもよい。このような構成によれば、第１の放射電極のインピーダンス特性と第２の放射電極のインピーダンスを接近させやすくなるため、その後のインピーダンス調整が容易となりやすい。
【００１０】
給電電極をプリント基板上に形成し、第１および第２の放射電極をプリント基板を覆う筐体の内壁に形成し、第１および第２の放射電極を第１および第２の給電ピンを介して前記給電電極と接続させてもよい。第１の放射電極の他端は容量結合素子を介してグランドパターンと接続されてもよい。また、第２の放射電極の他端は開放端としてもよい。
【００１１】
第１および第２の放射電極を略直方体状の誘電体の上面に形成し、誘電体をプリント基板の端部に形成される実装領域に取り付け、整合回路により実装領域の周縁に設けられるグランドパターンと給電電極とを接続してもよい。第１の放射電極の他端は誘電体の側面に形成されたギャップを介してグランドパターンと容量結合してもよい。第２の放射電極の他端は開放端としてもよい。
【発明の効果】
【００１２】
本発明によれば、複数の周波数帯に対応可能なアンテナ装置において、各周波数帯域においてインピーダンスを整合させやすくなる。
【図面の簡単な説明】
【００１３】
【図１】プリント基板におけるアンテナ素子の実装領域を示す模式図である。
【図２】実装領域周辺に形成されるアンテナ装置の構造を示す斜視図である。
【図３】本実施形態における放射導体と整合回路の位置関係を模式的に示す図である。
【図４】ＧＰＳ放射電極およびＢＴ放射電極のインピーダンス特性を示すスミスチャートである。
【図５】本実施形態において、図４の状態から整合回路を第１接続点側に移動させたときのインピーダンス特性を示すスミスチャートである。
【図６】本実施形態において、ＧＰＳ放射電極のＶＳＷＲ特性を示すグラフである。
【図７】本実施形態において、ＢＴ放射電極のＶＳＷＲ特性を示すグラフである。
【図８】比較例における放射導体と整合回路の位置関係を模式的に示す図である。
【図９】比較例において、図４の状態から整合回路を給電点側に移動させたときのインピーダンス特性を示すスミスチャートである。
【図１０】比較例において、ＧＰＳ放射電極のＶＳＷＲ特性を示すグラフである。
【図１１】比較例において、ＢＴ放射電極のＶＳＷＲ特性を示すグラフである。
【図１２】整合回路を設定する前のインピーダンス特性を示すスミスチャートである。
【図１３】アンテナ装置の構造図の別例である。
【図１４】図１３に示すアンテナ素子の展開図である
【発明を実施するための形態】
【００１４】
以下、添付図面を参照しながら、本発明の好ましい実施形態を説明する。各実施形態においては、携帯電話に内蔵されるアンテナ素子を題材として説明する。アンテナ素子を内蔵する携帯電話としてアンテナ装置が形成される。
【００１５】
図１は、携帯電話のプリント基板１００におけるアンテナ素子の実装位置を示す模式図である。図１においては、プリント基板１００の短辺方向にｘ軸、長辺方向にｙ軸、紙面から手前に向かう方向にｚ軸を設定する。以降の図においても同様である。図１においてはプリント基板１００の右上端部に実装領域１０２が設けられる。実装領域１０２は「アンテナ装置」が形成される位置である。
【００１６】
図２は、アンテナ装置１１２の構造を示す斜視図である。プリント基板１００の一部はグランドパターン１０６により覆われており、その上に各種電子回路（図示せず）が実装される。プリント基板１００と電子回路は、筐体１０４によって密閉される。プリント基板１００の端部（実装領域１０２の一部）においては、グランドパターン１０６が切り取られ、ここに給電電極１１４がプリントされる。
【００１７】
筐体１０４の内壁には、ＧＰＳ放射電極１０８（第１の放射電極）とＢＴ放射電極１１０（第２の放射電極）がプリントされる。ＧＰＳ放射電極１０８は、ＧＰＳの周波数帯域（１．５ＧＨｚ近辺）にて電波を放射する。ＢＴ放射電極１１０は、ブルートゥース（登録商標）の周波数帯域（２．４ＧＨｚ近辺）にて電波を放射する。図２に示すようにＧＰＳ放射電極１０８の方がＢＴ放射電極１１０よりもプリント基板１００の端部により近い側、いいかえれば、プリント基板１００の外側に形成される。
【００１８】
ＧＰＳ放射電極１０８の一端は、第１給電ピン１１６を介して給電電極１１４と接続される。ＧＰＳ放射電極１０８の他端は、接続ピン１２０を介して容量結合素子１２２と接続される。容量結合素子１２２は、グランドパターン１０６上に設置されるキャパシタである。第１給電ピン１１６と給電電極１１４の接続点を「第１接続点」とよぶ。
【００１９】
ＢＴ放射電極１１０の一端は、第２給電ピン１１８を介して給電電極１１４と接続される。ＢＴ放射電極１１０の他端は、開放端である。第２給電ピン１１８と給電電極１１４の接続点を「第２接続点」とよぶ。
【００２０】
第１および第２の給電ピン１１８，１２０の一端はプリント基板１００に固定されており、他端はＧＰＳ放射電極１０８，ＢＴ放射電極１１０に接触している。各給電ピンはプリント基板１００に設けられたスルーホール導体に挿入されて機械的に固定され、かつ、スルーホール導体を介して給電電極１１４と電気的に接続されることが好ましい。放射電極との接触を確実にするため、給電ピンの先端は弾性（バネ性）を有してもよい。
【００２１】
給電電極１１４は給電点１２４と接続される。給電点１２４から供給される交流電力は、第１接続点から第１給電ピン１１６を経由してＧＰＳ放射電極１０８に供給され、第２接続点から第２給電ピン１１８を経由してＢＴ放射電極１１０に供給される。図２に示すように、第１接続点よりも第２接続点の方が給電点１２４に近い。
【００２２】
更に、給電電極１１４は、整合回路１２６を介してグランドパターン１０６とも接続される。本実施形態における整合回路とは、インダクタとキャパシタの双方または一方を含み、給電ラインに接続されるインピーダンス整合素子である。整合回路１２６のインダクタンスとその挿入位置により、ＧＰＳ放射電極１０８およびＢＴ放射電極１１０のインピーダンスが調整される。本実施形態においては、給電電極１１４と整合回路１２６の接続点は第１接点と第２接点の間に位置する。
【００２３】
図３は、本実施形態における各放射電極と整合回路１２６の位置関係を示す模式図である。整合回路１２６自体のインダクタンスを大きくすると、ＧＰＳ放射電極１０８およびＢＴ放射電極１１０のインダクタンスは共に大きくなる。整合回路１２６を第１接続点側、すなわち、ＧＰＳ放射電極１０８側に近づけると、ＧＰＳ放射電極１０８のインダクタンスは小さくなり、ＢＴ放射電極１１０のインダクタンスは大きくなる。一方、整合回路１２６を第２接続点側、すなわち、ＢＴ放射電極１１０側（給電点１２４側）に近づけると、ＧＰＳ放射電極１０８のインダクタンスは大きくなり、ＢＴ放射電極１１０のインダクタンスは小さくなる。このように、第１接続点および第２接続点の間で整合回路１２６の位置調整をすることにより、ＧＰＳ放射電極１０８およびＢＴ放射電極１１０のインダクタンスを逆方向に変化させることができる。
【００２４】
図４は、ＧＰＳ放射電極１０８およびＢＴ放射電極１１０のインピーダンス特性を示すスミスチャートである。中央の点は５０Ωを示す。ＢＴ放射電極１１０およびＧＰＳ放射電極１０８の双方をこの中央点にできるかぎり近づけるのがインピーダンス調整の目的である。図４の場合、中央点はＢＴ放射電極１１０のインピーダンス特性を示す軌跡の外側、ＧＰＳ放射電極１０８の軌跡の内側に位置する。ＢＴ放射電極１１０のように中央点が軌跡の外側にある状態をアンダーカップリング、ＧＰＳ放射電極１０８のように中央点が軌跡の内側にある状態をオーバーカップリングとよぶ。通常、オーバーカップリングは、アンダーカップリングにくらべて帯域が広くなるためより好ましい。
【００２５】
図５は、本実施形態において、図４の状態から整合回路１２６を第１接続点側に移動させたときのインピーダンス特性を示すスミスチャートである。整合回路１２６を第１接続点側に移動させるとＧＰＳ放射電極１０８のインダクタンスは小さくなるため、ＧＰＳ放射電極１０８の軌跡のループサイズは縮小する。この結果、軌跡と中央点が近づく。一方、ＢＴ放射電極１１０のインダクタンスは大きくなり、ＢＴ放射電極１１０の軌跡のループサイズは拡大する。この結果、ＢＴ放射電極１１０の軌跡も中央点に近づく。
【００２６】
このように、整合回路１２６を第１接続点側に移動させれば、オーバーカップリングのＧＰＳ放射電極１０８の軌跡は縮小し、アンダーカップリングのＢＴ放射電極１１０の軌跡は拡大するため、双方を同時に中央点に近づけることができる。図５では、結果として、ＧＰＳ放射電極１０８とＢＴ放射電極１１０の両方がオーバーカップリングとなっている。
【００２７】
図６は、本実施形態において、ＧＰＳ放射電極１０８のＶＳＷＲ（Voltage Standing Wave Ratio）特性を示すグラフである。点線は調整前（図４の状態）におけるＧＰＳ放射電極１０８のＶＳＷＲ特性、実線は調整後（図５の状態）におけるＶＳＷＲ特性を示す。図６に示すように、整合回路１２６を移動させても、ＧＰＳ放射電極１０８の特性はほとんど変化していない。
【００２８】
図７は、本実施形態において、ＢＴ放射電極１１０のＶＳＷＲ特性を示すグラフである。点線は調整前（図４の状態）におけるＢＴ放射電極１１０のＶＳＷＲ特性、実線は調整後（図５の状態）におけるＶＳＷＲ特性を示す。図７に示すように、整合回路１２６を移動させてもＶＳＷＲ値の最小値はほとんど変化しないが、ＢＴ放射電極１１０の場合には、アンダーカップリングからオーバーカップリングとなるため、実用的な周波数帯域が広がっており、特性が改善される。
【００２９】
図８は、比較例における各放射電極と整合回路１２６の位置関係を示す模式図である。本実施形態においては、整合回路１２６は第１接続点と第２接続点の間に設置されるが、図８に示す比較例においては、第２接続点と給電点１２４の間に整合回路１２６が設置されている。整合回路１２６を第１接続点側に移動させると、ＧＰＳ放射電極１０８およびＢＴ放射電極１１０のインダクタンスは共に小さくなる。一方、整合回路１２６を給電点１２４側に移動させると、ＧＰＳ放射電極１０８およびＢＴ放射電極１１０のインダクタンスは共に大きくなる。比較例においては、整合回路１２６の位置調整により、ＧＰＳ放射電極１０８およびＢＴ放射電極１１０のインダクタンスは同方向に変化する。
【００３０】
図９は、比較例において、図４の状態から整合回路１２６を給電点１２４側に移動させたときのインピーダンス特性を示すスミスチャートである。整合回路１２６を給電点１２４側に移動させるとＧＰＳ放射電極１０８およびＢＴ放射電極１１０のインダクタンスは共に大きくなり、両者の軌跡は拡大する。この結果、アンダーカップリングだったＢＴ放射電極１１０の軌跡は中央点に近づくが、もともとオーバーカップリングだったＧＰＳ放射電極１０８の軌跡は中央点から離れていく。
【００３１】
図９では、結果として、ＧＰＳ放射電極１０８とＢＴ放射電極１１０の両方がオーバーカップリングとなっているが、ＧＰＳ放射電極１０８の軌跡が調整によって中央点から離れてしまう。この結果、ＶＳＷＲの最小値が大きくなり、反射損失が大きくなるため好ましくない。
【００３２】
図１０は、比較例において、ＧＰＳ放射電極１０８のＶＳＷＲ特性を示すグラフである。点線は調整前（図４の状態）におけるＧＰＳ放射電極１０８のＶＳＷＲ特性、実線は調整後（図９の状態）におけるＶＳＷＲ特性を示す。図１０に示すように、整合回路１２６を移動させると、ＧＰＳ放射電極１０８のＶＳＷＲの最小値が大きくなってしまい、反射損失が大きくなり、ＶＳＷＲ特性が悪化する。
【００３３】
図１１は、比較例において、ＢＴ放射電極１１０のＶＳＷＲ特性を示すグラフである。点線は調整前（図４の状態）におけるＢＴ放射電極１１０のＶＳＷＲ特性、実線は調整後（図９の状態）におけるＶＳＷＲ特性を示す。図１１に示すように、整合回路１２６を移動させてもＶＳＷＲ特性の最小値はほとんど変化しないが、ＢＴ放射電極１１０の場合には、アンダーカップリングからオーバーカップリングとなるため、実用的な周波数帯域が広がり、ＶＳＷＲ特性が改善される。
【００３４】
このように、比較例の場合、整合回路１２６の位置調整により、ＢＴ放射電極１１０のインピーダンス特性を改善すると、ＧＰＳ放射電極１０８のインピーダンス特性がかえって悪化してしまう可能性がある。これに対し、本実施形態の場合には、整合回路１２６の挿入位置を第１および第２の接続点の間に設定することにより、ＧＰＳ放射電極１０８とＢＴ放射電極１１０のインピーダンス特性を反対方向に変化させることができるので、双方を中央点に近づけやすいというメリットがある。
【００３５】
図１２は、整合回路１２６を設定する前のインピーダンス特性を示すスミスチャートである。実線は、図２に示したように、ＧＰＳ放射電極１０８をＢＴ放射電極１１０よりも端部側（外側）に配置したときのインピーダンス特性を示す。一方、点線は、ＧＰＳ放射電極１０８を内側、ＢＴ放射電極１１０を外側に配置した場合のインピーダンス特性を示す。
【００３６】
図１２に示すように、ＧＰＳ放射電極１０８を内側に配置した場合には、ＧＰＳ放射電極１０８を外側に配置した場合に比べてＧＰＳ放射電極１０８とＢＴ放射電極１１０の軌跡が乖離している。整合回路１２６によって、インピーダンス整合を図る前に、双方のインピーダンス特性が大きく異なっているためその後の調整が難しくなる。したがって、図２に示したように、ＧＰＳ放射電極１０８を外側、ＢＴ放射電極１１０を内側に配置する方がインピーダンスを調整しやすい。
【００３７】
複数の周波数帯に対応可能なアンテナ装置１１２の設計において、整合回路１２６を挿入する前に、高周波数側と低周波数側それぞれのインピーダンスのスミスチャート上における初期位置をなるべく近づけることが重要である。低周波数側であるＧＰＳ放射電極１０８を内側、高周波数側であるＢＴ放射電極１１０を外側とすれば、ＢＴ放射電極１１０の方が放射しやすい位置関係となるため、ＢＴ放射電極１１０の放射抵抗が高くなる。この結果、インピーダンスの軌跡がより内側を回ることになるため、スミスチャート上におけるＢＴ放射電極１１０のインピーダンスの初期位置がＧＰＳ放射電極１０８のインピーダンスの初期位置から乖離してしまう。
【００３８】
一方、本実施形態に示すように、低周波数側のＧＰＳ放射電極１０８を外側、高周波数側であるＢＴ放射電極１１０を内側とすれば、ＢＴ放射電極１１０の放射抵抗を抑制できる。この結果、ＢＴ放射電極１１０のインピーダンスの軌跡が内側に移動するのが抑制されるため、スミスチャート上におけるＢＴ放射電極１１０のインピーダンスの初期位置がＧＰＳ放射電極１０８のインピーダンスの初期位置に近づく。すなわち、低周波数側のＧＰＳ放射電極１０８を外側、高周波数側であるＢＴ放射電極１１０を内側に形成することにより、高周波数側と低周波数側の双方に対して、共通の１つの整合回路１２６によりインピーダンス整合をとりやすくなる。
【００３９】
図１３は、別例におけるアンテナ装置１１３の構造図である。図１３においては、誘電体ブロックの表面に放射電極等がパターン印刷されたアンテナ素子１２８を用いる。プリント基板１００の実装領域１０２にアンテナ素子１２８を設置することにより、アンテナ装置１１３が形成される。プリント基板１００において、実装領域１０２はグランドパターン１０６に囲まれる。アンテナ素子１２８は、略直方体の誘電体を基体とし、ＧＰＳ放射電極１０８やＢＴ放射電極１１０等をその表面にプリントすることにより形成される。図１４は、アンテナ素子１２８の展開図である。図１３および図１４を参照しつつ、アンテナ素子１２８の構造を説明する。
【００４０】
アンテナ素子１２８の長方形状の底面１３０を実装領域１０２に接着することにより、アンテナ素子１２８はプリント基板１００に固定される。アンテナ素子１００の４つの側面をそれぞれ第１側面１３２（ｙ×ｚ）、第２側面１３４（ｘ×ｚ）、第３側面１３６（ｙ×ｚ）、第４側面１３８（ｘ×ｚ）とする。実装領域１０２は、グランドパターンの一部を切り欠くことにより形成される。アンテナ素子１２８の基体は、セラミック等により形成される。
【００４１】
ＧＰＳ放射電極１０８は、底面１３０の一部から、第３側面１３６、上面１４０および第１側面１３２まで帯状にプリントされる。ＧＰＳ放射電極１０８は、第１側面１３２においてギャップ１４４を介してグランド電極１４２と容量結合する。
【００４２】
ＢＴ放射電極１１０は、底面１３０の一部から、第３側面１３６を経由して上面１４０まで帯状にプリントされる。底面１３０において、ＧＰＳ放射電極１０８とＢＴ放射電極１１０は給電電極１１４と接続される。本例においても、第１接続点と第２接続点の間に設けられる整合回路１２６により、給電電極１１４とグランドパターン１０６が接続される。
【００４３】
以上、実施形態に基づいてアンテナ装置１１２、１１３を説明した。本実施形態によれば、整合回路１２６を第１接続点および第２接続点の間に設けることにより、ＧＰＳ放射電極１０８およびＢＴ放射電極１１０のインピーダンスを調整しやすくなる。また、ＧＰＳ放射電極１０８をプリント基板１００の端部側（外側）に配置することにより、ＧＰＳ放射電極１０８とＢＴ放射電極１１０のインピーダンス特性を近づけることができる。
【００４４】
以上、本発明を実施の形態をもとに説明した。実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【００４５】
本実施形態においては、低い周波数（第１の周波数）としてＧＰＳ、高い周波数（第２の周波数）としてブルートゥース（登録商標）を例示したが、これらの周波数帯に限らず、複数の周波数帯に対応可能なアンテナ装置のインピーダンス調整に本発明を応用可能であることは当業者には理解されるところである。
【００４６】
なお、本実施形態に基づいて以下の発明が認識可能である。
第１の周波数にて電波を放射する第１の放射電極と、
前記第１の周波数よりも大きい第２の周波数にて電波を放射する第２の放射電極と、
前記第１および第２の放射電極とそれぞれと第１および第２の接続点において接続され、給電ラインから供給される電力を前記第１および第２の接続点から前記第１および第２の放射電極に給電する給電電極と、
前記第１の接続点と前記第２の接続点の間に設置され、前記給電電極とグランドパターンを接続する整合回路と、を備えるアンテナ装置において、
前記第１および第２の放射電極のインダクタンスの一方を大きい値に変更し、他方を小さい値に変更するとき、前記整合回路と前記給電電極の接続点をインダクタンスを小くする側の放射電極に近づけることにより、前記第１および第２の放射電極のインダクタンスを同時調整することを特徴とするアンテナ装置の放射特性調整方法。
【符号の説明】
【００４７】
１００  プリント基板、１０２  実装領域、１０４  筐体、１０６  グランドパターン、１０８  ＧＰＳ放射電極、１１０  ＢＴ放射電極、１１２，１１３  アンテナ装置、１１４  給電電極、１１６  第１給電ピン、１１８  第２給電ピン、１２０  接続ピン、１２２  容量結合素子、１２４  給電点、１２６  整合回路、１２８  アンテナ素子、１３０  底面、１３２  第１側面、１３４  第２側面、１３６  第３側面、１３８  第４側面、１４０  上面、１４２  グランド電極、１４４  ギャップ。
【図１】
2012023640.tif 000003
【図２】
2012023640.tif 000004
【図３】
2012023640.tif 000005
【図４】
2012023640.tif 000006
【図５】
2012023640.tif 000007
【図６】
2012023640.tif 000008
【図７】
2012023640.tif 000009
【図８】
2012023640.tif 000010
【図９】
2012023640.tif 000011
【図１０】
2012023640.tif 000012
【図１１】
2012023640.tif 000013
【図１２】
2012023640.tif 000014
【図１３】
2012023640.tif 000015
【図１４】
2012023640.tif 000016